(57)【要約】      （修正有）【課題】単独での交換ができ、交換の利便性を高める、双方向支持台を提供する。【解決手段】少なくとも１つのロープユニットが穿設されて管体の位置決めを補助するために用いられる、双方向支持台であって、本体１０及びロープユニット穿設用の貫通孔ユニット２０を備え、本体は、位置決め部材１１、２つの第１壁１２Ａ及び２つの第２壁１３Ａを備え、２つの第１壁は間隔をあけて、相対形成され、位置決め部材の上面から上向きに突出し、２つの第１壁の間と位置決め部材とにより第１接触面１４Ａが形成され、２つの第２壁は、間隔をあけて、相対形成され、位置決め部材の底面から下向きに突出し、２つの第２壁の間と位置決め部材とにより第２接触面１５Ａが形成され、第１接触面の軸方向は、第２接触面の軸方向と異なる。貫通孔ユニットは２つの孔２１Ａ、２２Ａを有し、本体に形成される。【選択図】図１
0003227562.tif 000002
【実用新案登録請求の範囲】
【請求項１】
少なくとも１つのロープユニットが穿設されて管体の位置決めを補助すると共に、本体及び貫通孔ユニットを備え、
前記本体は、位置決め部材、２つの第１壁及び２つの第２壁を備え、該２つの第１壁は、間隔をあけて、相対するように形成されるとともに、該位置決め部材の上面から上向きに突出し、該２つの第１壁の間と位置決め部材とにより第１接触面が形成され、該２つの第２壁は、間隔をあけて、相対するように形成されるとともに、該位置決め部材の底面から下向きに突出し、該２つの第２壁の間と位置決め部材とにより第２接触面が形成され、該第１接触面の軸方向は、該第２接触面の軸方向と異なり、
前記貫通孔ユニットが前記本体に形成される、ことを特徴とする双方向支持台。
【請求項２】
前記貫通孔ユニットは、第１孔と第２孔を備え、該第１孔は、前記２つの第１壁にそれぞれ形成されるとともに、該第１壁を貫通するように伸び、該第１孔は、前記第１接触面に連通し、該第２孔は、前記２つの第２壁にそれぞれ形成されるとともに、該第２壁を貫通するように伸び、該第２孔は、前記第２接触面と連通することを特徴とする、請求項１に記載の双方向支持台。
【請求項３】
前記第１孔は複数有し、２つずつ位置を合わせて前記２つの第１壁に形成されるとともに、前記第１接触面に連通し、前記第２孔は複数有し、２つずつ位置を合わせて前記２つの第２壁に形成されるとともに、前記第２接触面と連通することを特徴とする、請求項２に記載の双方向支持台。
【請求項４】
前記第１孔と前記第２孔が前記位置決め部材に形成されることを特徴とする、請求項２に記載の双方向支持台。
【請求項５】
前記第１孔と前記第２孔とが連通することを特徴とする、請求項４に記載の双方向支持台。
【請求項６】
前記位置決め部材と前記２つの第１壁とが交差して２つの夾角を形成し、該位置決め部材と前記２つの第２壁とが交差して２つの夾角を形成することを特徴とする、請求項１から５のいずれか１項に記載の双方向支持台。
【請求項７】
前記第１接触面と前記第２接触面が円弧形状を呈することを特徴とする、請求項１から５のいずれか１項に記載の双方向支持台。
【請求項８】
前記各第１壁は、配置台と少なくとも１つの組み立て孔を有し、該配置台は、該第１壁の上面に位置し、該組み立て孔は、該配置台から第１壁の内部まで伸びることを特徴とする、請求項１から５のいずれか１項に記載の双方向支持台。
【請求項９】
前記各第１壁は、配置台と少なくとも１つの組み立て孔を有し、該配置台は、該第１壁の上面に位置し、該組み立て孔は、該配置台から第１壁の内部まで伸びることを特徴とする、請求項６に記載の双方向支持台。
【請求項１０】
前記各第１壁は、配置台と少なくとも１つの組み立て孔を有し、該配置台は、該第１壁の上面に位置し、該組み立て孔は、該配置台から第１壁の内部まで伸びることを特徴とする、請求項７に記載の双方向支持台。
【考案の詳細な説明】
【技術分野】
【０００１】
本考案は、双方向支持台に関するものであって、特にロープユニットが穿設され且つ交換作業の利便性が向上した双方向支持台に関するものである。
【背景技術】
【０００２】
従来、２本の管体を固定するときは、該２本の管体を重ねてロープで固縛することで、該２本の管体が位置決めされるので、重ねて配置できるようになるが、このロープで固縛する方法は、該２本の管体を手でしっかりと押さえて、ロープで固縛する必要があり、該ロープで縛るときは、両手がふさがっていることから、該２本の管体の位置を固定することができず、それによって該２本の管体が滑って位置がずれやすくなるとともに緩みやすくなるので、位置決め不良が生じるという問題があった。
【０００３】
上記の位置決め不良の問題を解決するために、その後、前記２本の管体の位置を固定する双方向支持台を案出した。該双方向支持台は、本体及び２つの組み立てブロックを備え、該本体では、該２本の管体が接続されるとともに、互いに垂直関係にあるＸ軸、Ｙ軸及びＺ軸、さらに、Ｚ軸の軸方向に配列された２つの貫通孔を有し、該２つの貫通孔は、位置が上下にずれ、且つそれぞれＸ軸の軸方向、Ｙ軸の軸方向に延伸するとともに、該２本の管体が穿設されており、該２つの組み立てブロックは、該本体に組み付けられるとともに、それぞれ該本体に穿設されて対応する貫通孔に挿入され、それによって、該２つの組み立てブロックが該本体に固定され、且つ該２本の管体が本体に固定されるように位置決めされて、該２本の管体が上下に配置されるとともに、互いに直交する状態を呈する。それにより、前記双方向支持台は、前記２本の管体を、前記本体に安定して位置決めできるとともに、当該２本の管体を、上下に配置させるように制限することができるので、前記２本の管体を安定して位置決めするという目的を達成することができる。
【０００４】
しかしながら、従来の双方向支持台は、前記２本の管体が穿設される組み立て方法であるため、前記本体が破損して交換する必要がある場合、該２本の管体を引き出さなければ、破損した該本体を交換することができないが、前記２本の管体を破損した前記本体から引き出そうとすると、周囲の双方向支持台及び他の管体の引き出しにも影響が出てしまう。このように、破損した前記本体に穿設された前記２本の管体を単独で引き出すことができず、残りの破損していない管体も他の破損していない本体から引き抜かなければ、破損した該本体を交換することができないので、交換の利便性が悪いという問題があった。
【考案の概要】
【考案が解決しようとする課題】
【０００５】
本考案の主な目的は、双方向支持台を提供し、交換を行う際に単独での交換ができず交換の利便性が悪いという、従来の双方向支持台における課題を解決することにある。
【課題を解決するための手段】
【０００６】
上記の目的を達成するため、本考案の双方向支持台は、少なくとも１つのロープユニットが穿設されて管体の位置決めを補助すると共に、本体及び貫通孔ユニットを備え、前記本体は、位置決め部材、２つの第１壁及び２つの第２壁を備え、該２つの第１壁は、間隔をあけて、相対するように形成されるとともに、該位置決め部材の上面から上向きに突出し、該２つの第１壁の間と位置決め部材とにより第１接触面が形成され、該２つの第２壁は、間隔をあけて、相対するように形成されるとともに、該位置決め部材の底面から下向きに突出し、該２つの第２壁の間と位置決め部材とにより第２接触面が形成され、該第１接触面の軸方向は、該第２接触面の軸方向と異なり、前記貫通孔ユニットが前記本体に形成される。
【０００７】
本発明の双方向支持台では、前記本体に貫通孔ユニットを形成し、２本の管体を該本体の前記第１接触面及び第２接触面に密着させ、該２本の管体を該第１接触面及び第２接触面に挿入し、前記ロープユニットを該貫通孔ユニットに貫通させるとともに、該２本の管体を該第１接触面及び第２接触面に固縛し、該ロープユニットを該本体に直接組み合わせることにより、該本体が破損した場合には、該ロープユニットを緩めて該本体を該２本の管体の間から引き出して交換することから、該本体を単独で交換でき、交換作業における利便性が向上するので、迅速に行うことができる。
【図面の簡単な説明】
【０００８】
【図１】本考案の実施形態１の斜視図である。
【図２】本考案の実施形態２の斜視図である。
【図３】本考案の実施形態３の斜視図である。
【図４】本考案の実施形態４の斜視図である。
【図５】本考案の実施形態５の斜視図である。
【図６】本考案の実施形態６の斜視図である。
【図７】本考案の実施形態１の組み立て時の側面視の断面概略図である。
【図８】本考案の実施形態２の組み立て時の側面視の断面概略図である。
【図９】本考案の実施形態４の組み立て時の側面視の断面概略図である。
【考案を実施するための形態】
【０００９】
図１及び図７は、本考案の双方向支持台の第１の好ましい実施形態を示すものであり、図から分かるように、本考案の双方向支持台は、少なくとも１つのロープユニット３０が穿設されて管体４０の位置決めを補助し、該双方向支持台は、本体１０及び貫通孔ユニット２０を備える。
【００１０】
前記本体１０は、位置決め部材１１、２つの第１壁１２Ａ及び２つの第２壁１３Ａを備え、該２つの第１壁１２Ａは、間隔をあけて相対するように形成されるとともに、該位置決め部材１１の上面から上向きに突出し、該２つの第１壁１２Ａの間と位置決め部材１１とにより第１接触面１４Ａが形成される。該２つの第２壁１３Ａは、間隔をあけて相対するように形成されるとともに、前記位置決め部材１１の底面から下向きに突出し、該２つの第２壁１３Ａの間と位置決め部材１１とにより第２接触面１５Ａが形成される。尚、ここでは、前記第１接触面１４Ａの軸方向が前記第２接触面１５Ａの軸方向と異なり、平面視で該第２接触面１５Ａの軸方向と直交する。また、前記各第１壁１２Ａは、配置台１６Ａと組み立て孔１７Ａを有し、該組み立て孔１７Ａは、該配置台１６Ａのコーナー部に位置していてもよく、また、該配置台１６Ａを貫通して前記２つの第２壁１３Ａの底面に連通していてもよい。更に、前記位置決め部材１１と２つの第１壁１２Ａとは、交差して２つの夾角を形成し、該位置決め部材１１と前記２つの第２壁１３Ａとは、交差して２つの夾角を形成し、前記第１接触面１４Ａは、上部が開放された四角い形状を呈し、前記第２接触面１５Ａは、下部が開放された四角い形状を呈しているため、前記本体１０を角管の位置決めにすることができる。
【００１１】
図１及び図７に示すように、該本体１０には、少なくとも１つの第１孔２１Ａと少なくとも１つの第２孔２２Ａを備えた貫通孔ユニット２０が形成され、該第１孔２１Ａ及び第２孔２２Ａは、前記位置決め部材１１に形成されている。この時、前記第１孔２１Ａの軸方向は、平面視で前記第１接触面１４Ａの軸方向に直交し、前記第２孔２２Ａの軸方向は、平面視で前記第２接触面１５Ａの軸方向に直交する。
【００１２】
図２及び図８は、本考案の双方向支持台に係る第２の好ましい実施形態を示しており、そこでは、前記位置決め部材１１に第１孔２１Ｂ及び第２孔２２Ｂが形成されているが、該第１孔２１Ｂと第２孔２２Ｂは、連通していても連通していなくてもよく、該第１孔２１Ｂと第２孔２２Ｂとが連通しているか否かについて、ここでは限定しない。また、各第１壁１２Ｂは、配置台１６Ｂと組み立て孔１７Ｂを有し、該組み立て孔１７Ｂは、該配置台１６Ｂのコーナーに位置していてもよく、該配置台１６Ｂを貫通して前記２つの第２壁１３Ｂの底面に連通していてもよい。尚、第１接触面１４Ｂと第２接触面１５Ｂは円弧形状を呈しているため、前記本体１０を円管の位置決めにすることができる。
【００１３】
図３は、本考案の双方向支持台に係る第３の好ましい実施形態を示すものであり、そこでは、第１孔２１Ｃが２つの第１壁１２Ｃに形成されるとともに、該第１壁１２Ｃを貫通するように伸び、該２つの第１孔２１Ｃが第１接触面１４Ｃと連通し、第２孔２２Ｃが２つの第２壁１３Ｃに形成されるとともに、該第２壁１３Ｃを貫通するように伸び、該２つの第２孔２２Ｃが該第２接触面１５Ｃと連通する。この時、前記位置決め部材１１と２つの第１壁１２Ｃとが交差して２つの夾角を形成し、該位置決め部材１１と２つの第２壁１３Ｃとが交差して２つの夾角を形成し、前記第１接触面１４Ｃの上部が開放された四角い形状を呈し、前記第２接触面１５Ａの下部が開放された四角い形状を呈しているため、前記本体１０を角管の位置決めにすることができる。
【００１４】
図４及び図９は、本考案の双方向支持台に係る第４の好ましい実施形態を示したものであり、そこでは、第１孔２１Ｄが２つの第１壁１２Ｄに形成されると共に、該第１壁１２Ｄを貫通するように伸び、該２つの第１孔２１Ｄが第１接触面１４Ｄと連通し、第２孔２２Ｄが２つの第２壁１３Ｄに形成されると共に、該第２壁１３Ｄを貫通するように伸び、該２つの第２孔２２Ｄが該第２接触面１５Ｄと連通する。この時、第１接触面１４Ｄと第２接触面１５Ｄは円弧形状を呈しているため、前記本体１０を円管の位置決めにすることができる。また、図５は、本考案の双方向支持台の第５の好ましい実施形態を示したものであり、第１孔２１Ｅの数及び第２孔２２Ｅの数は３つであってもよい。図６は本考案の双方向支持台の第６の好ましい実施形態を示したものであり、それによれば、第１孔２１Ｆと第２孔２２Ｆとは連通した構造となっている。
【００１５】
図１及び図７は、本考案の双方向支持台に係る第１の好ましい実施形態を示したものであり、そこでは、前記２つのロープユニット３０で、前記２本の管体４０を前記第１接触面１４Ａ及び第２接触面１５Ａにそれぞれくくりつけるが、その場合、該ロープユニット３０を前記本体１０の貫通孔ユニット２０に通す、つまり、該本体１０の外側から前記位置決め部材１１の第１孔２１Ａに通し、さらに該第１接触面１４Ａに位置する該管体４０に巡らせて、該ロープユニット３０をしっかりと縛ることで、該管体４０を該第１接触面１４Ａに密着させて固縛し、また、該ロープユニット３０を、該本体１０の外側から位置決め部材１１の第２孔２２Ａに通し、さらに該第２接触面１５Ａに位置する管体４０に巡らせて、該ロープユニット３０をしっかりと縛ることで、該管体４０を第２接触面１５Ａに密着させて固縛し、前記ロープユニット３０を双方向支持台と組み合わせることにより、前記２本の管体４０を本考案の双方向支持台上でより安定させ、スライドしにくくする。
【００１６】
尚、上記の実施例においては、前記１つのロープユニット３０で、前記２本の管体４０を前記第１接触面１４Ａ及び前記第２接触面１５Ａにそれぞれ固縛してもよく、前記ロープユニット３０を、前記第１孔２１Ａに通して、前記第１接触面１４Ａに位置する管体４０に巡らせ、該第１孔２１Ａに戻し、次いで前記第２孔２２Ａに通して、前記第２接触面１５Ａに位置する管体４０に巡らせ、該第２孔２２Ａに戻して、引っ張って固縛してもよく、これにより、該ロープユニット３０で２本の管体４０を該第１接触面１４Ａ及び第２接触面１５Ａに密着させて固縛してすることによって、該２本の管体４０を前記双方向支持台上でより安定させることができ、前記本体１０が破損して交換する必要がある場合は、前記ロープユニット３０を緩め、該本体１０を前記２本の管体４０の間から取り出すだけで交換できるため、簡単、且つ迅速に作業ができる。
【００１７】
図１及び図７は、本考案の双方向支持台の第１の好ましい実施形態を示したものであり、それによると、前記ロープユニット３０で、前記２本の管体４０を前記第１接触面１４Ａ及び第２接触面１５Ａに安定的に位置決めし、次いで複数の立柱４１を前記第１壁１２Ａの組み立て孔１７Ａに組みつけて、該立柱４１を本考案の双方向支持台に立設させ、これにより、前記立柱４１に標識を設けることができる。カキ台を例にすると、人々が容易に認識できる旗（図示せず）を該立柱４１に取り付けて、識別しやすくすることが可能となる。
【００１８】
図２及び図８は、本考案の双方向支持台に係る第２の好ましい実施形態を示したものであり、それによると、前記２つのロープユニット３０で、前記２本の管体４０を前記第１接触面１４Ｂ及び第２接触面１５Ｂにそれぞれくくりつけるが、その場合、該ロープユニット３０を前記本体１０の貫通孔ユニット２０に通す、つまり、該本体１０の外側から前記位置決め部材１１の第１孔２１Ｂに通し、さらに該第１接触面１４Ｂに位置する該管体４０に巡らせて、該ロープユニット３０をしっかりと縛ることで、該管体４０を第１接触面１４Ｂに密着させて固縛することができ、また、該ロープユニット３０を、該本体１０の外側から該位置決め部材１１の第２孔２２Ｂに通し、さらに該第２接触面１５Ｂに位置する該管体４０に巡らせて、該ロープユニット３０をしっかりと縛ることで、該管体４０を第２接触面１５Ｂに密着させて固縛することができる。このように、前記ロープユニット３０を前記双方向支持台と組み合わせることにより、前記２本の管体４０を本考案の双方向支持台上でより安定させ、スライドしにくくすることができる。前記本体１０が破損して交換する必要がある場合は、前記ロープユニット３０を緩め、該本体１０を前記２本の管体４０の間から取り出すだけで交換できるため、簡単、且つ迅速に作業ができる。
【００１９】
上記に構成によれば、前記ロープユニット３０を、位置決め部材１１の第１孔２１Ｂ及び第２孔２２Ｂにそれぞれ通し、前記２本の管体４０を第１接触面１４Ｂ及び第２接触面１５Ｂに安定的に位置決めし、前記立柱４１を組み立て孔１７Ｂに組み付けることにより、装置を認識しやすくできるので、識別効果を高めることができる。
【００２０】
図４及び図９は、本考案の双方向支持台に係る第４の好ましい実施形態を示したものであり、それによると、前記１つのロープユニット３０で、前記２本の管体４０を双方向支持台に位置決めして固縛するが、その場合、該２本の管体４０をそれぞれ本体１０の第１接触面１４Ｄ及び第２接触面１５Ｄに接近させ、該ロープユニット３０を本体１０の貫通孔ユニット２０に通す、つまり、該本体１０の外側から、前記第１壁１２Ｄの第１孔２１Ｄの１つに通して、該第１接触面１４Ｄから出し、該第１接触面１４Ｄに位置する管体４０に巡らせるとともに、該第１接触面１４Ｄから、対応するもう１つの前記第１孔２１Ｄに挿入させて、該本体１０の外側から突出させてしっかりと縛ることで、該第１接触面１４Ｄに位置する該管体４０を、該第１接触面１４Ｄに安定的に位置決めすることができる。次いで、前記ロープユニット３０を、前記本体１０の外側から第２壁１３Ｄの第２孔２２Ｄの１つに通せば、前記第２接触面１５Ｄから出すことができ、さらに該第２接触面１５Ｄに位置する管体４０に巡らせ、該第２接触面１５Ｄから対応するもう１つの前記第２孔２２Ｄに通して、引っ張って締め付けると、該２本の管体４０を第１接触面１４Ｄ及び第２接触面１５Ｄにそれぞれ位置決めすることができ、その上、該ロープユニット３０を前記双方向支持台に組み合わせるか、又は使用者が該２つのロープユニット３０で、該２本の管体４０を第１接触面１４Ｄ及び第２接触面１５Ｄにそれぞれ固縛することで、固縛の安定性を向上させ且つスライドしにくくし、さらに、該本体１０は、該ロープユニット３０により該２本の管体４０を固縛していることから、該ロープユニット３０を緩めれば、該本体１０のみを交換することができるので、該本体１０を迅速かつ簡単に交換することができる。
【００２１】
図５及び図７は、本考案の双方向支持台に係る第５の好ましい実施形態を示したものであり、それによると、前記第１孔２１Ｅ及び第２孔２２Ｅの数は３つであり、使用者がより多くのロープユニット３０を必要とする場合においても対応することができ、且つ、該ロープユニット３０をそれぞれ、前記第１孔２１Ｅ及び第２孔２２Ｃに通せば、前記２本の管体４０を、さらに安定的に該双方向支持台に組付けることができる。
【００２２】
また、図６及び図８は、本考案の双方向支持台に係る第６の好ましい実施形態を示したものであり、それによると、前記第１孔２１Ｆと第２孔２２Ｆとを連通させると、前記ロープユニット３０を位置決め部材１１内でより柔軟に用いることができ、該第１孔２１Ｆから挿入して該第２孔２２Ｆから出す、或いは、該第２孔２２Ｆに挿入して該第１孔２１Ｆから出すというように、固縛のパターンを色々と変更することができる。
【００２３】
以上のように、本考案の双方向支持台は、前記貫通孔ユニット２０を本体１０に形成し、前記ロープユニット３０を該貫通孔ユニット２０に通して前記２本の管体４０を該本体１０に固定することで、該ロープユニット３０と本体１０とを直接に組み合わすことができ、該本体１０が破損した場合には、該ロープユニット３０を緩めて本体１０を２本の管体４０の間から引き出せば該本体１０のみを交換することができるので、交換作業をより簡単に、且つ迅速に行うことができる。
【符号の簡単な説明】
【００２４】
１０              本体
１１              位置決め部材
１２Ａ、１２Ｂ、１２Ｃ、１２Ｄ、１２Ｅ、１２Ｆ    第１壁
１３Ａ、１３Ｂ、１３Ｃ、１３Ｄ、１３Ｅ、１３Ｆ    第２壁
１４Ａ、１４Ｂ、１４Ｃ、１４Ｄ、１４Ｅ、１４Ｆ    第１接触面
１５Ａ、１５Ｂ、１５Ｃ、１５Ｄ、１５Ｅ、１５Ｆ    第２接触面
１６Ａ、１６Ｂ    配置台
１７Ａ、１７Ｂ    組み立て孔
２０              貫通孔ユニット
２１Ａ、２１Ｂ、２１Ｃ、２１Ｄ、２１Ｅ、２１Ｆ    第１孔
２２Ａ、２２Ｂ、２２Ｃ、２２Ｄ、２２Ｅ、２２Ｆ    第２孔
３０              ロープユニット
４０              管体
４１              立柱
【図１】
0003227562.tif 000003
【図２】
0003227562.tif 000004
【図３】
0003227562.tif 000005
【図４】
0003227562.tif 000006
【図５】
0003227562.tif 000007
【図６】
0003227562.tif 000008
【図７】
0003227562.tif 000009
【図８】
0003227562.tif 000010
【図９】
0003227562.tif 000011